(57)【要約】【課題】  被処理液を高濃度で効率良く濃縮することができる被処理液の膜処理装置を提供する。【解決手段】  被処理液を昇圧して複数段で濃縮する複数の第１膜ユニット１０−１，１０−２と、複数の第１膜ユニット１０−１，１０−２で濃縮された被処理液を当該被処理液よりも低圧の回収液に半透膜を介して接触させることにより更に濃縮して濃縮液を生成する第２膜ユニット２０とを備え、複数の第１膜ユニット１０−１，１０−２は、前段の第１膜ユニット１０−１の非透過液を後段の第１膜ユニット１０−２に供給することにより各段の第１膜ユニット１０−１，１０−２に対して被処理液を直列に供給し、第２膜ユニット２０は、前段の第１膜ユニット１０−１の非透過液の一部を前記回収液として使用する被処理液の膜処理装置である。【選択図】  図１
2022001351.tif 000002
【特許請求の範囲】
【請求項１】
被処理液を昇圧して複数段の第１膜ユニットで濃縮する第１の濃縮工程と、
前記第１の濃縮工程で濃縮された被処理液を第２膜ユニットに供給し、当該被処理液よりも低圧の回収液に半透膜を介して接触させることにより、被処理液を更に濃縮して濃縮液を生成する第２の濃縮工程とを備え、
前記第１の濃縮工程は、前段の前記第１膜ユニットの非透過液を後段の前記第１膜ユニットに順次供給することにより、各段の前記第１膜ユニットに対して被処理液を直列に供給し、
前記第２の濃縮工程は、最後段以外の前記第１膜ユニットの非透過液の一部を前記回収液として使用する被処理液の膜処理方法。
【請求項２】
前記第２の濃縮工程は、前記回収液となる前記第１膜ユニットの非透過液の一部を減圧する工程を備える請求項１に記載の被処理液の膜処理方法。
【請求項３】
前記第１膜ユニットの非透過液の減圧は、当該第１膜ユニットよりも後段側の前記第１膜ユニットの非透過液との圧力交換により行われる請求項２に記載の被処理液の膜処理方法。
【請求項４】
前記第１の濃縮工程は、最前段の前記第１膜ユニットに供給される被処理液、または、最後段以外の前記第１膜ユニットの非透過液を、前記第２膜ユニットで生成された前記濃縮液との圧力交換により昇圧する工程を備える請求項１から３のいずれかに記載の被処理液の膜処理方法。
【請求項５】
前記第１の濃縮工程は、最前段の前記第１膜ユニットに供給される被処理液、または、最後段以外の前記第１膜ユニットの非透過液を、インバータ制御が可能な高圧ポンプまたはブースターポンプにより昇圧する工程を備える請求項１から４のいずれかに記載の被処理液の膜処理方法。
【請求項６】
前記第１の濃縮工程は、前記第２膜ユニットを通過した前記回収液を、最前段の前記第１膜ユニットに供給される被処理液に合流させる工程を備える請求項１から５のいずれかに記載の被処理液の膜処理方法。
【請求項７】
被処理液を昇圧して複数段で濃縮する複数の第１膜ユニットと、
複数の前記第１膜ユニットで濃縮された被処理液を、当該被処理液よりも低圧の回収液に半透膜を介して接触させることにより更に濃縮して濃縮液を生成する第２膜ユニットとを備え、
複数の前記第１膜ユニットは、前段の前記第１膜ユニットの非透過液を後段の前記第１膜ユニットに順次供給することにより、各段の前記第１膜ユニットに対して被処理液を直列に供給し、
前記第２膜ユニットは、最後段以外の前記第１膜ユニットの非透過液の一部を前記回収液として使用する被処理液の膜処理装置。
【発明の詳細な説明】
【技術分野】
【０００１】
本発明は、被処理液の膜処理方法および装置に関し、より詳しくは、逆浸透膜を利用する被処理液の膜処理方法および装置に関する。
【背景技術】
【０００２】
海水等の被処理液を膜処理する装置として、特許文献１には、海水を第１逆浸透膜モジュールに供給することにより淡水を分離して濃縮塩水を排出する一方、低浸透圧水を第２逆浸透膜モジュールに供給することにより淡水を分離して濃縮低浸透圧水を排出し、排出された濃縮塩水および濃縮低浸透圧水を正浸透膜モジュールに供給して、正浸透膜を介して濃縮低浸透圧水から供給される水により濃縮塩水を希釈する造水システムが開示されている。
【先行技術文献】
【特許文献】
【０００３】
【特許文献１】特開２０１７−１７６９２９号公報
【発明の概要】
【発明が解決しようとする課題】
【０００４】
上記の造水システムは、造水量の増加を主な目的としており、第１逆浸透膜モジュールで生成された濃縮海水を正浸透膜モジュールにおいて希釈させるように構成されているため、被処理液を濃縮して回収する際の濃縮率を高める上で検討の余地があった。
【０００５】
そこで、本発明は、被処理液を高濃度で効率良く濃縮することができる被処理液の膜処理方法および装置の提供を目的とする。
【課題を解決するための手段】
【０００６】
本発明の前記目的は、被処理液を昇圧して複数段の第１膜ユニットで濃縮する第１の濃縮工程と、前記第１の濃縮工程で濃縮された被処理液を第２膜ユニットに供給し、当該被処理液よりも低圧の回収液に半透膜を介して接触させることにより、被処理液を更に濃縮して濃縮液を生成する第２の濃縮工程とを備え、前記第１の濃縮工程は、前段の前記第１膜ユニットの非透過液を後段の前記第１膜ユニットに順次供給することにより、各段の前記第１膜ユニットに対して被処理液を直列に供給し、前記第２の濃縮工程は、最後段以外の前記第１膜ユニットの非透過液の一部を前記回収液として使用する被処理液の膜処理方法により達成される。
【０００７】
この被処理液の膜処理方法において、前記第２の濃縮工程は、前記回収液となる前記第１膜ユニットの非透過液の一部を減圧する工程を備えることが好ましい。前記第１膜ユニットの非透過液の減圧は、当該第１膜ユニットよりも後段側の前記第１膜ユニットの非透過液との圧力交換により行うことができる。
【０００８】
また、前記第１の濃縮工程は、最前段の前記第１膜ユニットに供給される被処理液、または、最後段以外の前記第１膜ユニットの非透過液を、前記第２膜ユニットで生成された前記濃縮液との圧力交換により昇圧する工程を備えることが好ましい。
【０００９】
前記第１の濃縮工程は、最前段の前記第１膜ユニットに供給される被処理液、または、最後段以外の前記第１膜ユニットの非透過液を、インバータ制御が可能な高圧ポンプまたはブースターポンプにより昇圧する工程を備えることが好ましい。
【００１０】
前記第１の濃縮工程は、前記第２膜ユニットを通過した前記回収液を、最前段の前記第１膜ユニットに供給される被処理液に合流させる工程を備えることが好ましい。
【００１１】
また、本発明の前記目的は、被処理液を昇圧して複数段で濃縮する複数の第１膜ユニットと、複数の前記第１膜ユニットで濃縮された被処理液を、当該被処理液よりも低圧の回収液に半透膜を介して接触させることにより更に濃縮して濃縮液を生成する第２膜ユニットとを備え、複数の前記第１膜ユニットは、前段の前記第１膜ユニットの非透過液を後段の前記第１膜ユニットに順次供給することにより、各段の前記第１膜ユニットに対して被処理液を直列に供給し、前記第２膜ユニットは、最後段以外の前記第１膜ユニットの非透過液の一部を前記回収液として使用する被処理液の膜処理装置により達成される。
【発明の効果】
【００１２】
本発明によれば、被処理液を高濃度で効率良く濃縮することができる被処理液の膜処理方法および装置を提供することができる。
【図面の簡単な説明】
【００１３】
【図１】本発明の一実施形態に係る被処理液の膜処理装置の概略構成図である。
【図２】本発明の他の実施形態に係る被処理液の膜処理装置の概略構成図である。
【図３】本発明の更に他の実施形態に係る被処理液の膜処理装置の概略構成図である。
【図４】本発明の更に他の実施形態に係る被処理液の膜処理装置の概略構成図である。
【発明を実施するための形態】
【００１４】
以下、本発明の一実施形態について添付図面を参照して説明する。図１は、本発明の一実施形態に係る被処理液の膜処理装置（以下、単に「膜処理装置」という）の概略構成図である。図１に示すように、膜処理装置１は、被処理液を濃縮する２段の第１膜ユニット１０−１，１０−２と、第１膜ユニット１０−１，１０−２で濃縮された被処理液を更に濃縮して濃縮液を生成する第２膜ユニット２０と、濃縮液の圧力エネルギーを回収するエネルギー回収装置３０とを、主な構成要素として備えている。
【００１５】
第１膜ユニット１０−１，１０−２は、それぞれケーシング内にＲＯ膜（逆浸透膜）１１−１，１１−２を備える膜モジュールからなり、被処理液が直列に供給される。１段目の第１膜ユニット１０−１でＲＯ膜１１−１を透過しない非透過液は、２段目の第１膜ユニット１０−２に供給され、２段目のＲＯ膜１１−２を透過しない非透過液が、第２膜ユニット２０に供給される。ＲＯ膜１１−１，１１−２の形状は特に限定されず、平膜や中空糸膜等を例示することができる。
【００１６】
第２膜ユニット２０は、ケーシング内が半透膜２１で仕切られることにより高圧室２２および低圧室２３が形成されている。高圧室２２には、第１膜ユニット１０−１，１０−２で濃縮された被処理液が導入される一方、低圧室２３には、１段目の第１膜ユニット１０−１から排出される非透過液の一部が、減圧弁などの減圧装置４０で減圧された後に、回収液として供給される。高圧室２２および低圧室２３にそれぞれ導入された被処理液および回収液は、半透膜２１を介して接触した後に外部に排出される。半透膜２１は、平膜以外に中空糸膜であってもよい。半透膜２１は、ＲＯ膜（逆浸透膜）を好適に使用することができるが、ＦＯ膜（正浸透膜）などの他の半透膜であってもよい。
【００１７】
エネルギー回収装置３０は、ターボチャージャからなり、第２膜ユニット２０から排出された濃縮液によりタービンを回転させ、この動力を利用して、１段目の第１膜ユニット１０−１から２段目の第１膜ユニット１０−２に供給される被処理液を昇圧する。エネルギー回収装置３０の構成は、濃縮液のエネルギーを回収して被処理液を昇圧可能であれば特に限定されるものではなく、例えば、タービン型以外にロータ型やピストン型などの他のエネルギー回収装置であってもよい。
【００１８】
次に、上記の構成を備える膜処理装置１を使用した被処理液の膜処理方法を説明する。まず、海水等の被処理液を、高圧ポンプ２により例えば４ＭＰａ程度まで昇圧した後、２段の第１膜ユニット１０−１，１０−２に直列に供給して濃縮する第１の濃縮工程を行う。第１膜ユニット１０−１，１０−２においては、被処理液がＲＯ膜１１−１，１１−２を透過することより淡水（製造水）が生成されると共に、各段のＲＯ膜１１−１，１１−２のいずれも透過せずに濃縮された被処理液が排出される。
【００１９】
ついで、第１の濃縮工程で濃縮された被処理液を、第２膜ユニット２０に供給して更に濃縮することにより濃縮液を生成する第２の濃縮工程を行う。第２膜ユニット２０の高圧室２２には、最後段である２段目の第１膜ユニット１０−２で濃縮された被処理液が供給される一方、低圧室２３には、１段目の第１膜ユニット１０−１で濃縮された被処理液が回収液として供給される。
【００２０】
高圧室２２に供給される被処理液は、１段目の第１膜ユニット１０−１から２段目の第１膜ユニット１０−２に供給される過程でエネルギー回収装置３０により昇圧される一方、低圧室２３に供給される回収液は、減圧装置４０で減圧されるため、高圧室２２が低圧室２３よりも高圧になる。更に、低圧室２３に供給される回収液として、複数段の第１膜ユニット１０−１，１０−２による濃縮途中の被処理液（すなわち、１段目の第１膜ユニット１０−１で濃縮されて、２段目の第１膜ユニット１０−２で濃縮される前の被処理液）を使用することにより、高圧室２２に供給される被処理液との浸透圧差が小さくなる。この結果、高圧室２２と低圧室２３との圧力差により、半透膜を介した高圧室２２から低圧室２３への水の移動が促されるので、高圧ポンプ２の性能や数を特に増大させることなく被処理液を更に濃縮することができ、例えば塩濃度が低い（例えば０．５％程度）被処理液の場合でも、省エネルギーで高濃度に濃縮することができる。第２膜ユニット２０で生成された濃縮液は、エネルギー回収装置３０で減圧された後に系外に排出されて、例えば、正浸透発電、製塩蒸発濃縮による淡水化などの他のプロセスで利用することができる。
【００２１】
第２膜ユニット２０において濃縮液から水を回収した回収液は、被処理液に合流された後、高圧ポンプ２により昇圧されて、１段目の第１膜ユニット１０−１に再び供給される。これにより、第１膜ユニット１０−１，１０−２における淡水の製造効率を高めることができると共に、被処理液が希釈されて浸透圧が低下することにより第１膜ユニット１０−１，１０−２に低圧で供給することができるので、この点からも高圧ポンプ２の省エネルギー化を図ることができる。高圧ポンプ２の省エネルギー化に伴い、第２膜ユニット２０の高圧室２２に供給する被処理液を昇圧する必要がある場合には、２段目の第１膜ユニット１０−２から第２膜ユニット２０に被処理液を供給する配管に、ブースタポンプ等を設けてもよい。回収液は、高圧ポンプ２よりも上流側で被処理液に合流させることが好ましいが、高圧ポンプ２よりも下流側で被処理液に合流させてもよい。
【００２２】
図１に示す膜処理装置１は、被処理液を２段の第１膜ユニット１０−１，１０−２で濃縮する構成としているが、第１膜ユニットの段数は複数であれば特に限定されず、３段以上で濃縮する構成であってもよい。図２は、本発明の他の実施形態に係る膜処理装置の概略構成図であり、３段の第１膜ユニット１０−１，１０−２，１０−３を備えており、それぞれがＲＯ膜１１−１，１１−２，１１−３を備えている。図２において、図１と同様の構成部分には同一の符号を付している（以下の図においても同様）。
【００２３】
図２に示す膜処理装置１０１は、１段目の第１膜ユニット１０−１の非透過液が２段目の第１膜ユニット１０−２に供給され、２段目の第１膜ユニット１０−２の非透過液が３段目の第１膜ユニット１０−３に供給される。このように、前段の第１膜ユニットの非透過液を後段の第１膜ユニットに順次供給することにより、各段の第１膜ユニット１０−１，１０−２，１０−３に対して被処理液を直列に供給して濃縮する第１の濃縮工程が行われる。ついで、第１の濃縮工程で濃縮された被処理液を第２膜ユニット２０において更に濃縮する第２の濃縮工程が行われる。第２の濃縮工程で生成された濃縮液は、エネルギー回収装置３０に供給されて、１段目の第１膜ユニット１０−１から２段目の第１膜ユニット１０−２に供給される被処理液を昇圧する。
【００２４】
図２に示す膜処理装置１０１は、第２膜ユニット２０に回収液として供給される被処理液を減圧する減圧装置４０が、エネルギー回収装置３０と同様の構成を備えるエネルギー回収装置からなり、１段目の第１膜ユニット１０−１の非透過液の一部が、減圧装置４０において２段目の第１膜ユニット１０−２の非透過液と圧力交換することにより減圧された後、回収液として第２膜ユニット２０に供給される。一方、２段目の第１膜ユニット１０−２の非透過液は、減圧装置４０で昇圧されて３段目の第１膜ユニット１０−３に供給される。
【００２５】
第１膜ユニットが３段以上の多段に配置されている場合、回収液として使用される第１膜ユニットの非透過液は、必ずしも最前段である１段目の第１膜ユニットの非透過液である必要はなく、最後段以外の第１膜ユニットの非透過液であればよい。例えば、図３に示す膜処理装置２０１は、３段の第１膜ユニット１０−１，１０−２，１０−３を備えており、２段目の第１膜ユニット１０−２の非透過液の一部が、減圧弁からなる減圧装置４０で減圧された後に、回収液として第２膜ユニット２０に供給される。図３に示す構成においては、１段目の第１膜ユニット１０−１および２段目の第１膜ユニット１０−２のそれぞれの非透過液の一部を、回収液として使用することもできる。
【００２６】
回収液として使用される第１膜ユニットの非透過液の減圧は、減圧装置４０において他のいずれかの第１膜ユニットの非透過液と圧力交換して行うことができるが、当該第１膜ユニットよりも後段側の第１膜ユニットの非透過液との圧力交換により、回収液が減圧されることが好ましい。
【００２７】
上記各実施形態における膜処理装置は、エネルギー回収装置３０による濃縮液の圧力エネルギーの回収を、１段目の第１膜ユニット１０−１の非透過液との圧力交換により行っているが、第１膜ユニットが３段以上の多段に配置されている場合には、最後段以外で２段目以降の第１膜ユニットの非透過液との圧力交換により行ってもよい。例えば、図２および図３に示す膜処理装置１０１，２０１においては、２段目の第１膜ユニット１０−２の非透過液を、第２膜ユニット２０で生成された濃縮液との圧力交換により昇圧してもよい。
【００２８】
図４は、本発明の更に他の実施形態に係る膜処理装置の概略構成図である。図１から図３に示す膜処理装置は、エネルギー回収装置３０が、最後段以外の第１膜ユニット（例えば、１段目の第１膜ユニット１０−１）の非透過液を、第２膜ユニット２０で生成された濃縮液との圧力交換により昇圧するのに対し、図４に示す膜処理装置３０１は、ターボチャージャ等からなるエネルギー回収装置３０が、高圧ポンプ２により昇圧されて最前段の第１膜ユニット１０−１に供給される被処理液を、第２膜ユニット２０で生成された濃縮液との圧力交換により更に昇圧するように配置されている。図４に示す膜処理装置３０１によれば、エネルギー回収装置３０が被処理液の昇圧を補うために、高圧ポンプ２のモータ容量を小さくすることができるので、小型化が可能になると共に、製造コストやランニングコストの低減を図ることができる。
【００２９】
また、膜処理装置３０１は、１段目の第１膜ユニット１０−１と、２段目の第１膜ユニット１０−２との間に、１段目の第１膜ユニット１０−１の非透過液を昇圧するブースターポンプ４を備えている。ブースターポンプ４は、インバータ制御が可能なポンプであり、モータ回転数の制御によって２段目の第１膜ユニット１０−２に供給する非透過液の流量や圧力を容易に制御することができると共に、流路の絞りが不要になるため省エネルギー化を図ることができる。第１膜ユニットが３段以上配置される場合には、各段の第１膜ユニット間の全てにインバータ制御のブースターポンプをそれぞれ設けてもよく、あるいは、各段の第１膜ユニット間における必要な箇所のみにインバータ制御のブースターポンプを設けてもよい。
【００３０】
また、図１から図４に示す膜処理装置の高圧ポンプ２をインバータ制御が可能なポンプとしてもよく、これによっても省エネルギー化を図ることができる。特に、図４に示す膜処理装置３０１は、上述したようにエネルギー回収装置３０によって高圧ポンプ２のモータ容量を低減できるため、インバータ制御が可能な高圧ポンプ２との組み合わせにより、インバータ装置のコスト低減や設置ハードルの低下を図ることができる。
【００３１】
減圧装置４０は、上記の各実施形態では減圧弁やエネルギー回収装置を使用しているが、圧力エネルギーを有効利用できる他の装置であってもよい。例えば、減圧装置４０として発電機能を有するタービンを使用することで、回収した電気エネルギーを上記の高圧ポンプやブースターポンプ等に利用することができるため、更なる省エネルギー化を図ることができる。
【符号の説明】
【００３２】
１，１０１，２０１,３０１  膜処理装置
１０−１，１０−２，１０−３  第１膜ユニット
２０  第２膜ユニット
３０  エネルギー回収装置
４０  減圧装置
【図１】
2022001351.tif 000003
【図２】
2022001351.tif 000004
【図３】
2022001351.tif 000005
【図４】
2022001351.tif 000006